【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
鼻隠し（４）の前面を覆う前面被覆部（１１）と、鼻隠し（４）の底面を覆うとともにその下方に中空状の換気室（３）を形成する底面被覆部（１３）を有する鼻隠し化粧板（１）の取付構造において、
前記前面被覆部（１１）の下方に軒先前方へ突出する庇状の突出部（１２）を設け、この突出部（１２）の下方の換気室（３）の前壁面（１３１）に複数の通気孔（３１）を形成するとともに、前記底面被覆部（１３）の裏面側の上端から家屋側に斜め上方へ延出した後端支持部（１５）と鼻隠し（４）の底面（４２）との間に軒裏通路（３２）を設けることにより、
前記前面被覆部（１１）に取り付けた軒樋吊具（７）で支持された軒樋（８）の後側壁と前記換気室（３）の前壁面（１３１）との間であって前記庇状の突出部（１２）の下側に、下向きに開口した通気経路を形成した構成を有することを特徴とする鼻隠し化粧板の取付構造。
【請求項２】
前面被覆部（１１）の裏側から垂下した遮蔽板（２）で換気室（３）内を前後に二分するとともに、遮蔽板（２）の下方に通気経路を形成し、遮蔽板（２）の裏側に加熱発泡材（２０）を装着したことを特徴とする請求項１に記載の鼻隠し化粧板の取付構造。
【請求項３】
換気室（３）を二分する遮蔽板（２）の上端部に鼻隠し（４）の底面（４２）が係止される係止片（２１）を設けたことを特徴とする請求項２に記載の鼻隠し化粧板の取付構造。
【手続補正２】
【補正対象書類名】明細書
【補正対象項目名】０００９
【補正方法】変更
【補正の内容】
【０００９】
また、前記換気室は、前面被覆部の裏側から垂下した遮蔽板で換気室内を前後に二分するとともに、遮蔽板の下方に通気経路を形成し、遮蔽板の裏側に加熱発泡材を装着したことを特徴とする。
本発明の鼻隠し化粧板の取付構造は、鼻隠しの前面を覆う前面被覆部と、鼻隠しの底面を覆うとともにその下方に中空状の換気室を形成する底面被覆部からなり、換気室は前面被覆部の裏側から垂下する遮蔽板で前後に二分し、遮蔽板の下方に空気の通気経路が形成される。
そして、換気室の前壁面には、空気の流入口となる複数の通気孔が穿設されているため、該通気孔から流入した空気は遮蔽板で遮られてから遮蔽板の下方を潜り抜け、遮蔽板の裏側に回り込んで上昇してから屋根裏に流入することにより換気が行われる。
【手続補正３】
【補正対象書類名】明細書
【補正対象項目名】００１０
【補正方法】変更
【補正の内容】
【００１０】
このような構成とすることで、雨水が換気室へ浸入し難くなり、加熱発泡材は換気室を二分する遮蔽板の裏側に装着されているため、雨水を伴った空気が換気室に流入しても当該加熱発泡材が水浸しになることはない。
また、火災時に火炎や熱風が通気経路に進入したときには、加熱発泡材が膨張して遮蔽板の裏側の通気経路が完全に遮断されることにより、屋根裏への火炎や熱風の進入が防止される。
なお、加熱発泡材は遮蔽板の裏面に直接装着することができるが、遮蔽板と対向する換気室の裏壁面側に装着しても同様の効果が期待できる。
【手続補正４】
【補正対象書類名】明細書
【補正対象項目名】００１１
【補正方法】変更
【補正の内容】
【００１１】
本発明の鼻隠し化粧板の取付構造は、空気の流入口となる通気孔が換気室の前壁面に設けられているため、軒先を下から見上げても通気孔が目に触れることはなく、鼻隠しの前面及び底面が鼻隠し化粧板で一体的に覆われることと相俟って、軒先下面をすっきりとした状態で、見栄えよく処理することができる。
【手続補正５】
【補正対象書類名】明細書
【補正対象項目名】００１４
【補正方法】変更
【補正の内容】
【００１４】
本発明の鼻隠し化粧板の取付構造では、屋根裏への通気を良好にして十分な換気が行えるとともに、火災時には膨張した加熱発泡材が通気経路を遮断するため、火炎や熱風が屋根裏に進入するのを防止できる。
また、鼻隠し化粧板は鼻隠しの前面及び底面を一体的に覆うため、軒先下面がすっきりとしたイメージとなり、軒先を見栄えよく処理することができる。
【手続補正６】
【補正対象書類名】明細書
【補正対象項目名】００１７
【補正方法】変更
【補正の内容】
【００１７】
本発明で用いる鼻隠し化粧板１は、例えば表面を塩化ビニル樹脂で覆うなどの耐蝕加工が施された被覆鋼板や、亜鉛鋼板などの耐火性を有する長尺の鋼板をベンダーなどで折り曲げて形成したものであって、鼻隠し４の前面４１を覆う前面被覆部１１の下方に軒先前方に突出する庇状の突出部１２が形成され、該突出部１２の下方に鼻隠し４の底面４２を覆うとともに中空状の換気室３を形成する底面被覆部１３が形成されている。
また、前面被覆部１１の上端は、当該前面被覆部１１に対して直角に軒先前方へ折れ曲がってから更に斜め下方へ屈曲しており、その前端支持部１４が後述する水切り６の折返部６１に係合するようになっている。
【手続補正７】
【補正対象書類名】明細書
【補正対象項目名】００１８
【補正方法】変更
【補正の内容】
【００１８】
図１に示すように、鼻隠し４の前面４１はほぼ垂直で、その底面４２は垂木５の底面５１とほぼ同角度で傾斜しており、鼻隠し４の底面４２は垂木５の底面５１より上方に位置して設けられている。
本発明で用いる鼻隠し化粧板１は、前面被覆部１１が鼻隠し４の前面４１を覆ってビスや釘などの支持金具Ｐで打ち込み固定されるものであって、前面被覆部１１の下方に折り曲げ形成された底面被覆部１３が鼻隠し４の底面４２を覆うとともに中空状の換気室３を形成し、底面被覆部１３の裏壁面１３３の上端から家屋側へ斜め上方に延出した後端支持部１５が垂木５の底面５１にビスや釘などの支持金具Ｐで打ち込み固定される。
【手続補正８】
【補正対象書類名】明細書
【補正対象項目名】００２０
【補正方法】変更
【補正の内容】
【００２０】
換気室３は、前面被覆部１１の下方を折り曲げて前壁面１３１、底壁面１３２及び裏壁面１３３によって囲まれた中空状となっていればよく、換気室３は、矩形状、略Ｕ字状、台形状、湾曲状等に形成できる。
遮蔽板２は、前面被覆部１１の裏面側から形成され、換気孔３１から屋根裏が見えないように、換気室３を前後に二分するように配置すればよく、遮蔽板２の下方が通気経路となって前後が連通している。
遮蔽板２の配置は、換気室３の形状が矩形状あるいは略Ｕ字状であれば、遮蔽板２を前面被覆部１１の裏面より垂下させて配置すればよく、また、換気室３の前壁面１３１が換気室側に傾斜した台形状であれば、前面被覆部１１の裏面より前壁面１３１と略並行になるように配置すればよい。
【手続補正９】
【補正対象書類名】明細書
【補正対象項目名】００２７
【補正方法】変更
【補正の内容】
【００２７】
通常、屋根裏の換気は以上のようにして行われるか、換気室３の前壁面１３１と軒樋８の後側壁との間は下向きに開口した通気経路となっているため、雨水は換気室へ浸入し難くなり、しかも加熱発泡材２０は換気室３を二分する遮蔽板２の裏側に装着されているため、雨水を伴った空気が換気室３に流入しても当該加熱発泡材２０が水浸しになることはない。
また、火災時に火炎や熱風が通気経路に進入したときには、加熱発泡材２０が膨張して遮蔽板２の裏側の通気経路を遮断するため、火炎や熱風などが屋根裏へ進入するのを完全に防止することができる。
【手続補正１０】
【補正対象書類名】明細書
【補正対象項目名】００２８
【補正方法】変更
【補正の内容】
【００２８】
なお、図示した鼻隠し化粧板１は本発明で用いる実施形態の一例を示すものであり、家屋の軒先の構成や、軒樋の形状などに応じて適宜な形状とすることができる。また、加熱発泡材２０は換気室３を形成する裏壁面１３３に装着することもできる。